(57)【要約】【課題】局部洗浄ノズルを衛生的に保つ。【解決手段】開口部から進出させた局部洗浄ノズルの先端から洗浄水を吐出させることで局部洗浄を行う局部洗浄装置であって、前記局部洗浄ノズルの表面に除菌水を吐出可能な除菌水吐出部を備える。【選択図】図１
2019196644.tif 000002
【特許請求の範囲】
【請求項１】
開口部から進出させた局部洗浄ノズルから洗浄水を吐出させることで局部洗浄を行う局部洗浄装置であって、
前記局部洗浄ノズルの表面に除菌水を吐出可能な除菌水吐出部を備えることを特徴とする局部洗浄装置。
【請求項２】
前記除菌水吐出部は、前記局部洗浄ノズルが前記開口部から進出している状態において、当該局部洗浄ノズルの表面に前記除菌水を吐出する、請求項１に記載の局部洗浄装置。
【請求項３】
前記除菌水吐出部は、前記局部洗浄ノズルの進出動作が行われている最中において、当該局部洗浄ノズルの表面に前記除菌水を吐出する、請求項１又は２に記載の局部洗浄装置。
【請求項４】
前記除菌水吐出部は、前記局部洗浄前後の少なくともいずれかで、前記開口部から進出している状態の前記局部洗浄ノズルの表面に除菌水を吐出する、請求項２又は３に記載の局部洗浄装置。
【請求項５】
前記開口部を開閉可能なシャッタを備え、
前記除菌水吐出部は、前記局部洗浄ノズルが進出することで前記シャッタが前記開口部を開状態とした場合に、前記シャッタの背面に前記除菌水を吐出する、請求項１から４のいずれか一項に記載の局部洗浄装置。
【請求項６】
前記除菌水吐出部から前記除菌水が吐出されている間、前記局部洗浄時よりも少ない流量の洗浄水を前記局部洗浄ノズルから吐出させる洗浄部を備える、請求項１から５のいずれか一項に記載の局部洗浄装置。
【発明の詳細な説明】
【技術分野】
【０００１】
本発明は、局部洗浄装置に関する。
【背景技術】
【０００２】
下記特許文献１には、局部洗浄ノズルの先端から洗浄水を吐出させることで、人体の局部を洗浄する局部洗浄装置が開示されている。
【先行技術文献】
【特許文献】
【０００３】
【特許文献１】特開２００８−１２１３０５号公報
【発明の概要】
【発明が解決しようとする課題】
【０００４】
ところで、局部洗浄中において、局部洗浄ノズルに汚物が付着することがあり、局部洗浄ノズルを衛生的に保つことが望まれている。
【０００５】
本発明は、このような事情に鑑みてなされたもので、その目的は、局部洗浄ノズルを衛生的に保つことである。
【課題を解決するための手段】
【０００６】
本発明の一態様は、開口部から進出させた局部洗浄ノズルから洗浄水を吐出させることで局部洗浄を行う局部洗浄装置であって、前記局部洗浄ノズルの表面に除菌水を吐出可能な除菌水吐出部を備えることを特徴とする局部洗浄装置である。
【０００７】
本発明の一態様は、上述の局部洗浄装置であって、前記除菌水吐出部は、前記局部洗浄ノズルが前記開口部から進出している状態において、当該局部洗浄ノズルの表面に前記除菌水を吐出する。
【０００８】
本発明の一態様は、上述の局部洗浄装置であって、前記除菌水吐出部は、前記局部洗浄ノズルの進出動作が行われている最中において、当該局部洗浄ノズルの表面に前記除菌水を吐出する、請求項１又は２に記載の局部洗浄装置。
【０００９】
本発明の一態様は、上述の局部洗浄装置であって、前記除菌水吐出部は、前記局部洗浄前後の少なくともいずれかで、前記開口部から進出している状態の前記局部洗浄ノズルの表面に除菌水を吐出する。
【００１０】
本発明の一態様は、上述の局部洗浄装置であって、前記開口部を開閉可能なシャッタを備え、前記除菌水吐出部は、前記局部洗浄ノズルが進出することで前記シャッタが前記開口部を開状態とした場合に、前記シャッタの背面に前記除菌水を吐出する。
【００１１】
本発明の一態様は、上述の局部洗浄装置であって、前記除菌水吐出部から前記除菌水が吐出されている間、前記局部洗浄時よりも少ない流量の洗浄水を前記局部洗浄ノズルから吐出させる洗浄部を備える。
【発明の効果】
【００１２】
以上説明したように、本発明によれば、局部洗浄ノズルを衛生的に保つことができる。
【図面の簡単な説明】
【００１３】
【図１】本発明の一実施形態に係る局部洗浄装置９を備えるトイレシステムＡの概略構成の一例を示す図である。
【図２】本発明の一実施形態に係る局部洗浄装置９の概略構成の一例を示す図である。
【図３】本発明の一実施形態に係るノズル洗浄動作の流れを説明する図である。
【図４】本発明の一実施形態に係る局部洗浄を行う際のノズル洗浄動作の流れを説明する図である。
【発明を実施するための形態】
【００１４】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。なお、図面において、同一又は類似の部分には同一の符号を付して、重複する説明を省く場合がある。また、図面における要素の形状及び大きさなどはより明確な説明のために誇張されることがある。
【００１５】
以下、本発明の一実施形態に係る局部洗浄装置を、図面を用いて説明する。
【００１６】
図１は、本発明の一実施形態に係る局部洗浄装置を備えるトイレシステムＡの概略構成の一例を示す図である。図１に示すように、トイレシステムＡは、トイレ装置１及びリモコン装置２を備える。
【００１７】
トイレ装置１は、トイレルームに設けられており、リモコン装置２と有線又は無線通信することで情報を送受する。
【００１８】
リモコン装置２は、トイレルームの所定位置に設置されている。例えば、この所定位置とは、トイレルームの壁面である。リモコン装置２には、複数の操作スイッチが設けられており、使用者は、例えば、便器洗浄や局部洗浄に対応した操作スイッチを押下操作することで、トイレ装置１に対して便器洗浄や局部洗浄を実行させることができる。
【００１９】
トイレ装置１は、便器本体３及び便座装置４を備える。
【００２０】
便器本体３は、トイレルーム内の床面に設置されている。便器本体３の上部には、便座装置４が設置されている。
【００２１】
便座装置４は、本体カバー５、便座６、便蓋７、便器洗浄装置８及び局部洗浄装置９を備える。
【００２２】
本体カバー５は、便器本体３の後部かつ上部に載置された便器洗浄装置８及び局部洗浄装置９を収容するように便器洗浄装置８及び局部洗浄装置９を上側から覆うカバーである。
【００２３】
便座６は、本体カバー５に対して上下方向に回動可能に支持されている。すなわち、便座６は、本体カバー５に軸支されており、便器本体３に対して起立状態と倒伏状態との間で回動自在である。
【００２４】
便蓋７は、本体カバー５に対して上下方向に回動可能に支持されている。すなわち、便蓋７は、本体カバー５に軸支されており、便器本体３に対して起立状態と倒伏状態との間で回動自在である。
【００２５】
便器洗浄装置８は、本体カバー５内に収容して設けられ、例えば使用者により便器洗浄に対応する操作スイッチが操作されることで、便器本体３内に洗浄水を吐出させる便器洗浄を実行する。
【００２６】
局部洗浄装置９は、局部洗浄ノズル１０、ノズル開口部１１、及びシャッタ１２を備える。なお、ノズル開口部１１は、本発明の「開口部」の一例である。
【００２７】
局部洗浄装置９は、用便後に局部洗浄ノズル１０をノズル開口部１１から便器本体３の内側に進出させ、当該局部洗浄ノズル１０の先端から洗浄水を吐出することで、人体の局部を洗浄する局部洗浄を実行する。
【００２８】
シャッタ１２は、ノズル開口部１１を開閉可能であって、例えば、ノズル開口部１１に対して回動可能に取り付けられている。このシャッタ１２は、局部洗浄ノズル１０が前進するとその局部洗浄ノズル１０に押圧されてノズル開口部１１を開状態とし、局部洗浄ノズル１０を後退させるとノズル開口部１１を閉状態とする。
シャッタ１２は、局部洗浄ノズル１０が本体カバー５内に退避した状態でノズル開口部１１を閉じることで、汚物、洗浄水の飛沫などが局部洗浄ノズル１０にかかったり、本体カバー５の内部に入り込むことを防止する。また、シャッタ１２は、局部洗浄ノズル１０の進出とともに回動してノズル開口部１１を開く。
【００２９】
以下に、本実施形態に係る局部洗浄装置９の構成について、図２を用いて具体的に説明する。
【００３０】
以下に、本発明の一実施形態に係る局部洗浄装置９の構成について説明する。
図２に示すように、局部洗浄装置９は、第１の流路１３、第２の流路１４、給水バルブ１５、温水生成部１６、及び洗浄部１７、吐出口１８、給水管１９、除菌水吐出部２０を備える。
【００３１】
第１の流路１３は、給水源Ｓからの水を、給水バルブ１５を介して温水生成部１６に流入させる流路である。なお、本実施形態において「水」とは、冷水でもよいし、温水でもよい。
第２の流路１４は、温水生成部１６からの温水を洗浄部１７に送水するための流路である。
【００３２】
給水バルブ１５は、第１の流路１３に設けられ、その第１の流路１３を開放又は閉塞することで、給水源Ｓから温水生成部１６への給水を制御する。具体的には、給水バルブ１５は、洗浄部１７の制御により開状態に制御された場合には、第１の流路１３を開放する。これにより、給水源Ｓからの水が第１の流路１３を介して温水生成部１６に流入する。一方、給水バルブ１５は、洗浄部１７の制御により閉状態に制御された場合には、第１の流路１３を閉塞する。これにより、温水生成部１６への水の流入が停止される。
【００３３】
温水生成部１６は、第１の流路１３を介して流入してきた水を所定の温度に加熱して温水を生成する。そして、温水生成部１６は、所定の温度に加熱した温水を第２の流路１４を介して洗浄部１７に送水する。以下に、温水生成部１６の構成について、具体的に説明する。
【００３４】
温水生成部１６は、ヒータ１６１、温度センサ１６２、及び温度制御部１６３を備える。
【００３５】
ヒータ１６１は、第１の流路１３を介して流入してきた水を、温度制御部１６３の制御に基づいて所定の温度に加熱する。そして、ヒータ１６１により加熱されて生成された温水は、第２の流路１４を介して洗浄部１７に供給される。
【００３６】
温度センサ１６２は、第２の流路１４に設けられ、ヒータ１６１により加熱された温水の温度を測定するセンサであって、例えば、サーミスタである。温度センサ１６２は、測定した温度を温度制御部１６３に出力する。
【００３７】
温度制御部１６３は、温度センサ１６２で測定された温度が上記所定の温度になるようにヒータ１６１の出力を制御する。なお、温度制御部１６３は、第２の流路１４に供給する温水の温度を任意の温度に制御可能である。
【００３８】
洗浄部１７は、局部洗浄ノズル１０、水膜口１７１、分岐流路１７２〜１７４、流調バルブ１７５、駆動部１７６、及び制御装置１７７を備える。
【００３９】
局部洗浄ノズル１０は、おしり洗浄用ノズル１１１及びビデ用ノズル１１２の一対の局部洗浄ノズルの少なくともいずれかである。なお、以下の説明において、おしり洗浄用ノズル１１１及びビデ用ノズル１１２のそれぞれを区別しない場合には、単に「局部洗浄ノズル１０」と標記する。
【００４０】
水膜口１７１は、局部洗浄ノズル１０の表面に水膜を形成するための開口部である。すなわち、洗浄部１７は、水膜口１７１から局部洗浄ノズル１０の表面に向けて水を吐出させることで、ノズル開口部１１から進出している局部洗浄ノズル１０の表面に水膜を形成する。なお、水膜口１７１から局部洗浄ノズル１０の表面に向けて吐出する水は、冷水であってもよいし、温水であってもよい。本実施形態では、温水により水膜を形成する場合について説明する。
【００４１】
分岐流路１７２〜１７４は、第２の流路１４から分岐する流路である。
【００４２】
分岐流路１７２は、第２の流路１４から分岐し、おしり洗浄用ノズル１１１の先端部に形成された吐出孔に連通する。
分岐流路１７３は、第２の流路１４から分岐し、ビデ用ノズル１１２の先端部に形成された吐出孔に連通する。
分岐流路１７４は、第２の流路１４から分岐し、水膜口１７１に連通する。
【００４３】
流調バルブ１７５は、複数の分岐流路１７２〜１７４のうち、温水生成部１６で生成された温水を流す分岐流路を一以上選択し、その選択した分岐流路（以下、「選択分岐流路」という。）に温水生成部１６で生成された温水を供給する。ただし、流調バルブ１７５は、複数の分岐流路１７２〜１７４のどの分岐流路にも、温水生成部１６で生成された温水を流さない場合には、選択分岐流路を選択しないこともできる。
さらに、流調バルブ１７５は、その選択分岐流路に流れる温水の流量を調整可能である。なお、流調バルブ１７５における選択分岐流路の選択や選択分岐流路に流れる温水の流量調整は、制御装置１７７により制御される。
【００４４】
駆動部１７６は、制御装置１７７による制御に基づいて、一対のおしり洗浄用ノズル１１１とビデ用ノズル１１２を、それぞれ個別に進退させることが可能である。
【００４５】
制御装置１７７は、給水バルブ１５の駆動を制御することで、第１の流路１３の開放又は閉塞を制御する。
また、制御装置１７７は、流調バルブ１７５における選択分岐流路の選択を制御することで、局部洗浄ノズル１０による局部洗浄や、局部洗浄ノズル１０の表面に対する水膜の形成を制御する。なお、この温水による水膜は、局部洗浄ノズル１０の進退動作に伴い形成される。
さらに、制御装置１７７は、温度制御部１６３と通信することで、第２の流路１４に供給される温水の温度を調整可能である。
【００４６】
吐出口１８は、局部洗浄ノズル１０の表面に除菌水を吐出するための開口部である。
給水管１９は、除菌水吐出部２０と吐出口１８とを連通する。
【００４７】
除菌水吐出部２０は、除菌水を生成し、その生成した除菌水を、給水管１９を介して吐出口１８から局部洗浄ノズル１０の表面に吐出する。この除菌水とは、菌を減少させる効果を有するものである。この除菌には、菌を死滅させることで菌を減らす、いわゆる殺菌も含む。
【００４８】
例えば、除菌水吐出部２０は、給水源Ｓからの水を電気分解することで除菌水を生成する。この場合における除菌水とは、例えば、次亜塩素酸を含む水溶液でもよいし、金属イオンを含む水であってもよい。この金属イオンを含む水とは、例えば、銀イオン、銅イオンまたは亜鉛イオンなどの金属イオンを含む水である。さらに、この除菌水とは、オゾンを含む水であってもよい。また、除菌水は、除菌剤または除菌液を水に溶解させることによって生成されてもよい。除菌水吐出部２０は、制御装置１７７と通信し、局部洗浄ノズル１０の進退動作に伴い、生成した除菌水を吐出口１８から局部洗浄ノズル１０の表面に吐出する。
【００４９】
以下に、局部洗浄装置９が除菌水を用いて局部洗浄ノズル１０を洗浄する動作（ノズル洗浄動作）について、図３を用いて説明する。図３は、本実施形態に係る局部洗浄装置９の動作のフロー図である。なお、以下の説明において、局部洗浄ノズル１０の進退動作として、おしり洗浄用ノズル１１１の進退動作を例として説明する。
【００５０】
局部洗浄装置９がおしり洗浄用ノズル１１１の表面を洗浄するノズル洗浄動作モードに移行すると、制御装置１７７は、駆動部１７６の駆動を制御しておしり洗浄用ノズル１１１の進出動作を開始させる（ステップＳ１０１）。除菌水吐出部２０は、おしり洗浄用ノズル１１１が進出すると、除菌水を生成して当該除菌水を吐出口１８からおしり洗浄用ノズル１１１の表面に吐出する（ステップＳ１０２）。これにより、おしり洗浄用ノズル１１１の表面を除菌することができる。
【００５１】
おしり洗浄用ノズル１１１が局部洗浄を行う所定の位置まで進出すると（ステップＳ１０３）、制御装置１７７は、おしり洗浄用ノズル１１１の進出動作を停止して、除菌水吐出部２０に通知する。
【００５２】
除菌水吐出部２０は、おしり洗浄用ノズル１１１の進出動作が停止した旨の通知を制御装置１７７から受信すると除菌水の吐出を停止する（ステップＳ１０４）。そして、除菌水吐出部２０は、除菌水の吐出を停止すると、制御装置１７７に通知する。制御装置１７７は、除菌水の吐出が停止された旨の通知を受信した場合には、駆動部１７６の駆動を制御しておしり洗浄用ノズル１１１を本体カバー５内に退避させる（ステップＳ１０５）。
【００５３】
以上、局部洗浄ノズル１０の表面に除菌水を吐出するノズル洗浄動作は、例えば、所定期間（例えば、１週間）ごとに実施され、この実施時期や実施時刻は使用者が任意に設定可能である。ただし、本発明はこれに限定されず、例えば、ノズル洗浄動作は、局部洗浄を行う際に実施されてもよい。以下に、図４を用いて、局部洗浄を行う際にノズル洗浄動作が実施される場合について説明する。
【００５４】
例えば、使用者がリモコン装置２における局部洗浄ボタンを操作すると、制御装置１７７は、当該操作を検出する。そして、制御装置１７７は、駆動部１７６の駆動を制御しておしり洗浄用ノズル１１１の進出動作を開始させる（ステップＳ２０１）。
【００５５】
除菌水吐出部２０は、おしり洗浄用ノズル１１１が進出すると、除菌水を生成して吐出口１８からおしり洗浄用ノズル１１１の表面に吐出する（ステップＳ２０２）。これにより、おしり洗浄用ノズル１１１の表面を除菌することができる。
【００５６】
除菌水吐出部２０は、おしり洗浄用ノズル１１１の表面への除菌水の吐出を、例えば、所定の期間を行うと、当該除菌水の吐出を停止する（ステップＳ２０３）。除菌水の吐出が停止されると、制御装置１７７は、給水バルブ１５を制御して第１の流路１３を開放させるとともに、流調バルブ１７５を制御して、選択分岐流路を分岐流路１７２とする。これにより、温水生成部１６で生成された温水は分岐流路１７４を通り、水膜口１７１から吐出される。すなわち、制御装置１７７は、おしり洗浄用ノズル１１１の表面において水膜を形成する（ステップＳ２０４）。
【００５７】
おしり洗浄用ノズル１１１が局部洗浄を行う所定の位置まで進出すると（ステップＳ２０５）、制御装置１７７は、おしり洗浄用ノズル１１１の進出動作を停止する。そして、制御装置１７７は、局部洗浄を実施するために、流調バルブ１７５を制御して、分岐流路１７４に加えて分岐流路１７２を選択分岐流路として選択する。これにより、温水生成部１６で生成された温水は、分岐流路１７２及び分岐流路１７４に流入する。したがって、水膜の形成が継続されるとともに、おしり洗浄用ノズル１１１の先端部に形成された吐出孔から上記温水が洗浄水として吐出して局部洗浄が開始される（ステップＳ２０６）。
【００５８】
ここで、おしり洗浄用ノズル１１１による局部洗浄中において、当該おしり洗浄用ノズル１１１の表面に水膜が形成されている。これにより、局部洗浄中において、おしり洗浄用ノズル１１１の表面に汚物が付着することを防止することができる。
【００５９】
リモコン装置２において、使用者により局部洗浄の停止を指示する操作が行われると、制御装置１７７は、当該操作を検出して、流調バルブ１７５を制御することで局部洗浄及び水膜の形成を停止する（ステップＳ２０７）。そして、制御装置１７７は、駆動部１７６の駆動を制御しておしり洗浄用ノズル１１１の退避動作を開始させる（ステップＳ２０８）。
【００６０】
除菌水吐出部２０は、局部洗浄及び水膜の形成が停止されると、吐出口１８からおしり洗浄用ノズル１１１の表面に除菌水を吐出する（ステップＳ２０９）。そして、除菌水吐出部２０は、一定期間が経過すると除菌水の吐出を停止する（ステップＳ２１０）。
制御装置１７７は、除菌水吐出部２０による除菌水の吐出が停止すると、流調バルブ１７５を制御して、水膜口１７１から温水を吐出することで、おしり洗浄用ノズル１１１の表面に水膜を形成する（ステップＳ２１１）。これにより、用便後においても、おしり洗浄用ノズル１１１の表面に汚物が付着することを防止することができる。
【００６１】
制御装置１７７は、おしり洗浄用ノズル１１１が本体カバー５内に退避されたか否かを判定する（ステップＳ２１２）。そして、制御装置１７７は、おしり洗浄用ノズル１１１が本体カバー５内に退避したと判定した場合には、水膜の形成を停止する（ステップＳ２１３）。具体的には、制御装置１７７は、流調バルブ１７５を制御することで第２の流路１４から分岐流路１７４への温水の流入を停止することで、水膜の形成を停止する。または、制御装置１７７は、給水バルブ１５を制御して第１の流路１３を閉塞することで、水膜の形成を停止する。
【００６２】
以上、この発明の実施形態について図面を参照して詳述してきたが、具体的な構成はこの実施形態に限られるものではなく、この発明の要旨を逸脱しない範囲の設計等も含まれる。
【００６３】
（変形例１）
上記実施形態において、洗浄部１７は、除菌水吐出部２０から局部洗浄ノズル１０の表面に除菌水が吐出されている間、局部洗浄ノズル１０の先端部に形成された吐出孔から洗浄水を吐出させてもよい。これにより、局部洗浄ノズル１０の表面に吐出された除菌水が吐出孔に流入することを抑制することができる。なお、除菌水が吐出されている間において吐出孔から吐出させる洗浄水の流量は、洗浄時よりも少ない流量である。例えば、洗浄部１７は、除菌水吐出部２０から局部洗浄ノズル１０の表面に除菌水が吐出されている間においては、便座６に着座している使用者の局部に洗浄水が当たらない程度の流量で洗浄水を、局部洗浄ノズル１０の吐出孔から吐出させてもよい。
【００６４】
（変形例２）
上記実施形態において、局部洗浄中においても水膜の形成を継続する場合について説明したが、本発明はこれに限定されない。例えば、図４に示す動作において、制御装置１７７は、局部洗浄中においては局部洗浄ノズル１０の表面への温水の吐出を停止して、水膜の形成を停止してもよい。
【００６５】
（変形例３）
上記実施形態における図４において、除菌水吐出部２０は、おしり洗浄用ノズル１１１の表面への除菌水の吐出を所定期間の間実施すると、当該除菌水の吐出を停止したが、本発明はこれに限定されない。例えば、除菌水吐出部２０は、おしり洗浄用ノズル１１１が局部洗浄を行う所定の位置まで進出するまでの間において、除菌水の吐出を継続してもよい。
【００６６】
（変形例４）
上記実施形態では、局部洗浄装置９は、給水バルブ１５を通流した水を温水生成部１６で加熱することで温水を生成する、所謂瞬間方式で温水を生成したが、本発明はこれに限定されない。例えば、局部洗浄装置９は、貯湯タンクに温水を貯留するとともに、常時ヒータに通電して所定の温度の温水に制御する方式である、所謂貯湯方式で温水を生成してもよい。
【００６７】
（変形例５）
上記実施形態では、除菌水吐出部２０で生成された除菌水は、水膜口１７１とは異なる開口部である吐出口１８から吐出されるが、本発明はこれに限定されない。例えば、除菌水吐出部２０で生成された除菌水は、水膜口１７１から吐出されてもよい。すなわち、局部洗浄ノズル１０の表面に水膜を形成するための開口部と、局部洗浄ノズル１０の表面に除菌水を吐出するための開口部とは、同一の開口部であってもよい。
【００６８】
（変形例６）
上記実施形態において、上記実施形態における水膜口１７１の位置は、温水生成部１６で生成された温水の一部を局部洗浄ノズル１０の表面に吐出できる位置であれば、特に限定されない。さらに、上記実施形態における吐出口１８の位置は、除菌水吐出部２０で生成された除菌水を局部洗浄ノズル１０の表面に吐出できる位置であれば、特に限定されない。
【００６９】
（変形例７）
上記実施形態において、除菌水吐出部２０は、局部洗浄前後において、局部洗浄ノズル１０の表面に除菌水を吐出したが、本発明はこれに限定されない。すなわち、除菌水吐出部２０は、局部洗浄前後の少なくともいずれかで、ノズル開口部１１から進出している状態の局部洗浄ノズル１０の表面に除菌水を吐出すればよい。
【００７０】
（変形例８）
上記実施形態において、局部洗浄装置９は、局部洗浄ノズル１０の表面に除菌水を吐出することで、当該局部洗浄ノズル１０の表面を除菌したが、本発明はこれに限定されない。例えば、局部洗浄装置９は、紫外線を局部洗浄ノズル１０の表面に照射することにより、当該局部洗浄ノズル１０の表面を除菌してもよい。この場合には、例えば、局部洗浄装置９は、ノズル開口部１１から局部洗浄ノズル１０が進出した状態において、当該局部洗浄ノズル１０の表面に照射してもよい。
【００７１】
（変形例９）
上記実施形態において、局部洗浄装置９は、除菌水吐出部２０で生成された泡をシャッタ１２の背面に吐出してもよい。例えば、局部洗浄ノズル１０が進出することでシャッタ１２がノズル開口部１１を開状態とした場合において、局部洗浄ノズル１０の表面は、シャッタ１２の背面に接触している。そのため、局部洗浄ノズル１０の表面に吐出された除菌水は、局部洗浄ノズル１０の表面を伝ってシャッタ１２の背面に流れる。これにより、シャッタ１２の背面を除菌することができ、シャッタ１２を衛生的に保つことができる。
【００７２】
以上、説明したように、本発明の一実施形態に係る局部洗浄装置９は、局部洗浄ノズル１０の表面に除菌水を吐出可能な除菌水吐出部２０を備える。より具体的には、除菌水吐出部２０は、局部洗浄ノズル１０がノズル開口部１１から進出している状態において、当該局部洗浄ノズルの表面に除菌水を吐出する。
【００７３】
このような構成によれば、局部洗浄ノズル１０の表面を除菌することができ、局部洗浄ノズルを衛生的に保つことができる。
【００７４】
また、除菌水吐出部２０は、局部洗浄前後の少なくともいずれかで、ノズル開口部１１から進出している状態の局部洗浄ノズル１０の表面に除菌水を吐出してもよい。
【００７５】
このような構成によれば、局部洗浄によって汚物等が局部洗浄ノズル１０に付着した場合であっても、菌の繁殖を抑止し、局部洗浄ノズルを衛生的に保つことができる。
【００７６】
また、除菌水吐出部２０は、局部洗浄ノズル１０の進出動作が行われている最中において、局部洗浄ノズル１０の表面に除菌水を吐出してもよい。
【００７７】
このような構成によれば、局部洗浄ノズル１０の表面に対して除菌水を効率良く吐出することができる。
【００７８】
また、洗浄部１７は、除菌水吐出部２０から局部洗浄ノズル１０の表面に除菌水が吐出されている間、局部洗浄時よりも少ない流量の洗浄水を局部洗浄ノズル１０の先端部から吐出させてもよい。
【００７９】
このような構成によれば、局部洗浄ノズル１０の表面に吐出された除菌水が上記先端部の吐出孔に流入することを抑制することができる。
【符号の説明】
【００８０】
Ａ  トイレシステム
１  トイレ装置
２  リモコン装置
９  局部洗浄装置
１０  局部洗浄ノズル
１１  ノズル開口部（開口部）
１７  洗浄部
２０  除菌水吐出部
Ｓ  給水源
【図１】
2019196644.tif 000003
【図２】
2019196644.tif 000004
【図３】
2019196644.tif 000005
【図４】
2019196644.tif 000006